(57)【特許請求の範囲】
【請求項１】
第１基板と第２基板との間に電気泳動層を挟持してなる電気泳動表示装置において、
前記電気泳動層の配置領域が、表示領域と、前記表示領域を囲んで設けられる見切り表示領域と、を構成し、
前記第２基板には、平面視した状態で前記表示領域の外側に設定されるとともに前記見切り表示領域の外周縁部に重なる印刷領域が設けられ、
前記表示領域は、複数の電極が規則的に配置されてなる画素構造を有し、前記見切り表示領域は、前記表示領域と同一の画素構造を有しており、
前記印刷領域の中心部と、前記表示領域及び前記見切り表示領域の中心部との位置ズレが発生している場合において、前記表示領域の一部を前記見切り表示領域として機能させるとともに前記見切り表示領域の一部を前記表示領域として機能させるようにそれぞれの画素構造を駆動することを特徴とする電気泳動表示装置。
【請求項２】
前記印刷領域は前記第２基板の、前記第1基板に対向する面側に設けられることを特徴
とする請求項１に記載の電気泳動表示装置。
【請求項３】
前記印刷領域は、前記電気泳動層における電気泳動粒子を含むインクで印刷されている
ことを特徴とする請求項１又は２に記載の電気泳動表示装置。
【請求項４】
請求項１〜３のいずれか一項に記載の電気泳動表示装置を備えることを特徴とする電子
機器。
【発明の詳細な説明】
【技術分野】
【０００１】
本発明は、電気泳動表示装置及び電子機器に関するものである。
【背景技術】
【０００２】
現在、携帯電話・テレビ・時計など各分野で液晶デバイス等の表示デバイスは利用され、ますます発展しており、ユーザーのデザインや機能要求と共に狭額縁化・スリム化・軽量化に向けた開発が急速に進められている。更に、スリム化に伴って平面表示デバイスからフレキシブル表示デバイスのような、曲がるまたは折り曲げることが可能なデバイスのニーズも高まっている。フレキシブルな表示デバイスとしては、薄型軽量化が可能で紙に近い性質を持っている電気泳動ディスプレイ（Ｅｌｅｃｔｒｏｐｈｏｒｅｔｉｃ Ｄｉｓｐｌａｙ：ＥＰＤ）が知られている。
【０００３】
このような電気泳動表示装置（以下、ＥＰＤ表示装置）としては、表示層となる電気泳動層の表示面上部に駆動の為の共通基板、透明基板、及び積層体を貼り付けるための接着層、表示面を保護するカバーガラスの積層構造で形成されている（例えば、特許文献１参照）。また、ＥＰＤ表示装置においては、デザイン性という観点も表示の見栄えをより良く見せる重要な要素である。そこで、表示面上部に設けるプラスチックやガラスなどのカバー部材（第２基板）に見切り等の印刷を施す技術も知られている（例えば、特許文献２参照）。
【先行技術文献】
【特許文献】
【０００４】
【特許文献１】特開２００９−２８８４９９号公報
【特許文献２】特開２００７−２２６０１９号公報
【発明の概要】
【発明が解決しようとする課題】
【０００５】
しかしながら、上記従来技術においては、カバー部材に印刷を施した面に対して表示層による表示面が深い位置にあるため、印刷面と表示面との境界が目立ち、これにより表示装置のデザイン性が低下するとともに表示面の見栄えも悪化してしまうといった問題がある。また、カバー部材における貼り付けの位置精度にバラツキが生じるおそれもあり、見切り等の印刷位置そのものにバラツキが生じているおそれもある。すると、表示領域が設計位置からずれてしまい、特にＥＤＰ表示装置を小型アプリケーションに用いた場合には、表示領域の微小な位置ずれであっても見栄えが大きく低下してしまう。
【０００６】
本発明はこのような事情に鑑みてなされたものであって、基板貼り合せ時に位置ズレが生じた場合であっても、デザイン性及び見栄えが低下することを防止した、電気泳動表示装置及び電子機器を提供することを目的とする。
【課題を解決するための手段】
【０００７】
上記の課題を解決するために、本発明の電気泳動表示装置によれば、第１基板と第２基板との間に電気泳動層を挟持してなる電気泳動表示装置において、前記電気泳動層の配置領域が、表示領域と、前記表示領域を囲んで設けられる見切り表示領域と、を構成し、前記第２基板には、平面視した状態で前記表示領域の外側に設定されるとともに前記見切り表示領域の外周縁部に重なる印刷領域が設けられ、前記表示領域は、複数の電極が規則的に配置されてなる画素構造を有し、前記見切り表示領域は、前記表示領域と同一の画素構造を有しており、前記印刷領域の中心部と、前記表示領域及び前記見切り表示領域の中心部との位置ズレが発生している場合において、前記表示領域の一部を前記見切り表示領域として機能させるとともに前記見切り表示領域の一部を前記表示領域として機能させるようにそれぞれの画素構造を駆動することを特徴とする。
【０００８】
本発明の電気泳動表示装置によれば、電気泳動層の配置領域に表示領域及び見切り表示領域が構成されるので、表示領域と印刷領域との境界部分（段差部分）を目立たなくすることができ、結果的に表示面のデザイン性及び見栄えを向上させることができる。また、第１基板と第２基板との貼り合せ位置がずれた場合でも、見切り表示領域が設けられるため表示領域に曲がりが生じることが無く、デザイン性及び見栄えが低下するのを防止できる。
【０００９】
また、上記電気光学装置においては、前記印刷領域は前記第２基板の、前記第1基板に対向する面側に設けられるのが好ましい。
この構成によれば、印刷領域と表示領域とを近づけて配置できるので、表示領域の見栄えをより向上させることができる。また、印刷領域が第２基板の内面側に設けられることで、印刷領域が傷ついたり、磨耗して削れるといった不具合の発生を防止できる。
【００１０】
また、上記電気光学装置においては、前記印刷領域は、前記電気泳動層における電気泳動粒子を含むインクで印刷されているのが好ましい。
この構成によれば、見切り表示領域と印刷領域との見た目を近づけることができ、これらの境界部分をより目立たなくすることができる。よって、優れたデザイン性を得るとともに表示面の見栄えを向上させることができる。
【００１１】
また、上記電気光学装置においては、前記印刷領域は、前記電気泳動素子における電気泳動粒子を含むインクで印刷されているのが好ましい。
この構成によれば、見切り表示領域と印刷領域との境界部分を目立たなくすることができ、優れたデザイン性を得るとともに表示面の見栄えを向上できる。
【００１２】
また、上記電気光学装置においては、前記表示領域は、複数の電極が規則的に配置されてなる画素構造を有し、前記見切り表示領域は、前記表示領域と同一の画素構造を有するのが好ましい。
この構成によれば、見切り表示領域として種々なパターンの表示を行うことが可能となるため、印刷領域として採用可能なバリエーションが多岐にわたることでデザイン性に優れた表示装置を提供できる。
【００１３】
また、上記電気光学装置においては、前記印刷領域の中心部と、前記表示領域及び前記見切り表示領域の中心部との位置ズレが発生している場合において、前記表示領域の一部を前記見切り表示領域として機能させるとともに前記見切り表示領域の一部を前記表示領域として機能させるようにそれぞれの画素構造を駆動するのが好ましい。
このようにすれば、第１基板と第２基板との貼り合せ位置がずれた場合においても、表示領域に対する見切り表示領域の上下左右の面積を調整することで印刷領域の中心部と表示領域及び見切り表示領域の中心部との位置を補正することができる。
【００１４】
本発明の電子機器は、上記電気光学装置を備えることを特徴とする。
【００１５】
本発明の電子機器によれば、表示面におけるデザイン性及び見栄えが優れた電気泳動表示装置を備えるので、良好な表示特性を備えた電子機器を提供できる。
【図面の簡単な説明】
【００１６】
【図１】第一実施形態に係る電気泳動表示装置の平面構成を示す図である。
【図２】電気泳動表示装置の要部に係る断面構成を示す図である。
【図３】本実施形態に係る電気泳動表示装置の効果を説明するための図である。
【図４】第二実施形態に係る電気泳動表示装置の断面構成を示す図である。
【図５】本実施形態に係る電気泳動表示装置の効果を説明するための図である。
【図６】電子機器の一例を示す図である。
【図７】電子機器の一例を示す図である。
【図８】電子機器の一例を示す図である。
【発明を実施するための形態】
【００１７】
以下、本発明の電気泳動表示装置並びに電子機器の実施形態に係る構成について説明する。なお、以下の説明に用いる各図面では各部材を認識可能な大きさとするため、縮尺を適宜変更している。
【００１８】
（第一実施形態）
図１は電気泳動表示装置の一実施形態に係る構成を示す平面図であり、図２は電気泳動表示装置の要部に係る断面構成を示す図である。
図１に示すように、電気泳動表示装置１００は、パネル部１００ａと、該パネル部１００ａを保持する筐体部５と、を有している。パネル部１００ａは、図２に示すように、素子基板（第１基板）２と、透明基板３０と、これら基板２，３０間に挟持される電気泳動層３１と、ガラス基板（第２基板）４と、封止部材６と、を備えている。
【００１９】
ガラス基板４は、接着層１３２を介して透明基板３０に貼りつけられている。封止部材６は、電気泳動層３１の周りを囲むようにガラス基板４と素子基板２との間に配置されている。ガラス基板４は素子基板２よりも平面形状が大きく張り出した状態に形成されており、この張り出し部分に設けられた接着層１３１を介して筐体部５に固定されている。これにより、電気泳動層３１を挟持した素子基板２及び透明基板３０の貼り合せ構造体がガラス基板４を介して筐体部５に保持されたものとなっている。
【００２０】
素子基板２は、例えば３０μｍ〜１００μｍ程度の厚さを有する基材を主体として構成されている。素子基板２（基材）の構成材料としては、例えばガラス基板、石英基板、シリコン基板、ガリウム砒素基板などの無機基板や、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）などが挙げられる。
【００２１】
電気泳動表示装置１００は、電気泳動層３１の配置領域内に表示領域７と見切り表示領域８とが設定されている。表示領域７は、複数の画素電極（電極）２５が平面視で例えばマトリクス状に配列された領域であり、各画素電極２５の形成領域が画素領域となっており、画素領域毎に静止画や動画等の画像を表示可能な画素構造２５ａを有している。
【００２２】
一方、表示領域７の周囲を囲むように見切り表示領域８が設定されている。見切り表示領域８には見切り表示用電極（電極）２６が配置されている。なお、見切り表示領域８は、画像表示を行うことがなく、表示領域７の見切りを構成するためのものである。本実施形態に係る見切り表示用電極２６は、表示領域７に配置される複数の画素電極２５の最外周を囲むように形成されている。なお、見切り表示用電極２６は、１枚の電極部材から構成される必要は無く、複数の電極部材から構成されていても構わない。
【００２３】
素子基板２は、平面視で表示領域７と略一致する位置に画素電極２５を駆動するためのスイッチング素子を含む駆動層（不図示）が設けられている。また、素子基板２は、平面視で見切り表示領域８と略一致する位置に見切り表示用電極２６を駆動するためのスイッチング素子を含む駆動層（不図示）が設けられている。なお、見切り表示用電極２６が複数の電極部材から構成されている場合、見切り表示用電極２６の各々に駆動層が設けられる。
【００２４】
このように本実施形態においては、見切り表示用電極２６は画素電極２５と独立して駆動可能とされている。素子基板２には、不図示の端子が設けられており、該端子に外部機器との間で電気的な接続を取るための外部接続用フレキシブル基板が接続されている。
【００２５】
透明基板３０は電気泳動層３１を保持する、光透過性を有するシートであり、２５μｍ〜２００μｍ程度（本実施形態では１２５μｍ）の厚さを有している。透明基板３０の構成材料としては、例えばポリエチレンテレフタレート（ＰＥＴ）、ポリエーテルスルホン（ＰＥＳ）、ポリカーボネイト（ＰＣ）など光透過性の高い材料などが挙げられる。
【００２６】
共通電極（図示略）は、透明基板３０の内面のほぼ全面に亘って形成され、例えばＩＴＯなどの光透過性の高い導電材料で構成されている。共通電極は、画素電極２５及び見切り表示用電極２６との間で電圧が印加されるようになっている。共通電極は、不図示の上下導通材を介して素子基板２側と電気的に接続された状態になっている。上下導通材は、例えば異方性導電フィルムや異方性導電シート等から構成される。
【００２７】
封止部材６の材料としては、例えばエポキシ樹脂などの樹脂材料が挙げられる。このように封止部材６がガラス基板４，５及び電気泳動層３１を覆う構成を採用することで、電気泳動層３１に水分が浸入するといった不具合の発生をより確実に防止できる。
【００２８】
ガラス基板４としては、光透過性が高く、平坦度に優れ、キズがつきにくいものが用いられ、例えば無機ガラスや、クリスタルガラス、サファイヤガラスや、アクリルガラスなどを例示できる。ガラス基板４は透明基板３０を覆うことで、パネル部１００ａの機械的強度を向上している。また、ガラス基板４は、素子基板２及び透明基板３０とともに電気泳動層３１を覆う構成となっており、これにより電気泳動層３１への水分の浸入をより確実に防止している。
【００２９】
電気泳動層３１は、複数のマイクロカプセル３２と、接着層３３と、を含むものである。接着層３３は、バインダを兼ねた接着剤である。接着層３３としては、例えばマイクロカプセル３２のカプセル壁膜に対する親和性が良好で、画素電極２５に対する接着性に優れた接着剤を用いることが好ましい。
【００３０】
マイクロカプセル３２は電気泳動分散液が封入された略球状のカプセルであり、各カプセルの直径はほぼ同一（３０μｍ〜１００μｍ）になっている。マイクロカプセル３２のカプセル壁膜を構成する材料としては、アラビアガム・ゼラチンの複合膜、ウレタン樹脂、ウレア樹脂、尿素樹脂などの化合物が挙げられる。マイクロカプセル３２に封入された電気泳動分散液は、複数の電気泳動粒子と、当該電気泳動粒子を分散させるための液相分散媒とからなる。
【００３１】
液相分散媒としては、水やアルコール系溶媒、各種エステル類、ケトン類、脂肪族炭化水素、脂環式炭化水素、芳香族炭化水素、ハロゲン化炭化水素、カルボン酸塩又はその他の種々の油類等の単独、又はこれらの混合物に界面活性剤等を配合したものを用いることができる。
【００３２】
電気泳動粒子としては、液相分散媒中で電位差による電気泳動により移動する性質を有する有機あるいは無機の粒子（高分子あるいはコロイド）を用いることができる。具体的には、カーボンブラック、アニリンブラック等の黒色顔料、二酸化チタン等の白色顔料、モノアゾのアゾ系顔料、イソインドリノン等の黄色顔料、モノアゾのアゾ系顔料、キナクリドンレッド等の赤色顔料、フタロシアニンブルー等の青色顔料、フタロシアニングリーン等の緑色顔料等の１種又は２種以上を用いることができる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００３３】
マイクロカプセル３２には、例えば白色顔料である二酸化チタンと黒色顔料であるカーボンブラックとの二種類の電気泳動粒子が封入されており、一方が負に、他方が正に帯電されている。勿論他の電気泳動粒子を用いても構わないし、電気泳動粒子を一種類のみ用い、これを共通電極側、あるいは画素電極側に泳動させることで表示可能となるように構成しても構わない。
【００３４】
また、ガラス基板４の内面４ａ側であって、且つ外周縁部に沿うように印刷領域１１が設定されている。本実施形態において、印刷領域１１はパネル部１００ａの外枠部１０を構成している。印刷領域１１は、平面視した状態で表示領域の７の外側に設定されるとともに見切り表示領域８の外周縁部に重なるように設定されている。
【００３５】
ここで、見切り表示領域８のうち、印刷領域１１及び表示領域７間に配置された部分は、表示領域７の周辺見切り８ａを構成している。具体的に見切り表示領域８は、見切り表示用電極２６を介して電気泳動層３１に電圧を印加することで周辺見切り８ａとして例えば黒色を表示するようになっている。なお、本実施形態では、見切り表示領域８を構成する電気泳動層３１の電気泳動粒子を含む黒色インクによって印刷されている。したがって、本実施形態では、周辺見切り８ａ（見切り表示領域８）及び外枠部１０（印刷領域１１）が同じ黒色となっているため、それぞれが一体となってパネル部１００ａの外周デザインを構成している。
【００３６】
本実施形態では、印刷領域１１と表示領域７との間に見切り表示領域８を設ける事で、印刷領域１１と表示領域７との境界部分（段差構造）を目立たなくしている。また、本実施形態では、印刷領域１１をガラス基板４の内面４ａ側に配置することで印刷領域１１と表示領域７及び見切り表示領域８（電気泳動層３１）との距離を近づけている。これにより、印刷領域１１と表示領域７との間における段差を小さくし、結果的に表示面の見栄えを向上させるようにしている。また、ガラス基板４の内面４ａ側に印刷領域１１を設定することで、印刷領域１１に傷がついたり、磨耗によって削れてしまうといった不具合の発生を防止している。
【００３７】
本実施形態に係る電気泳動表示装置１００によれば、表示領域７と印刷領域１１との間に見切り表示領域８を設ける事で、表示領域７と印刷領域１１との境界部分（段差部分）を目立たなくしている。これにより、表示領域７と外周デザインとの表示面（ガラス基板４の表面）のデザイン性及び見栄えを向上させることができる。
【００３８】
ところで、上記電気光学装置１００を製造する場合、ズレのない状態でガラス基板４と透明基板３０とを貼り合せることはアライメント精度等の問題により困難である。仮に、高アライメント精度の基板貼り合せ装置を用いるとすると、電気光学装置１００のコストが高くなってしまうという問題がある。
【００３９】
これに対し、本実施形態に係る電気泳動表示装置１００によれば、後述するように基板４，３０の貼り合せに位置ズレが生じた場合でも、デザイン性及び見栄えが低下することが無い。
【００４０】
ここで、図３（ａ）はガラス基板４と透明基板３０との間に貼り合せズレが生じた場合を示し、図３（ｂ）は要部の拡大図を示すものである。
本実施形態に係る電気泳動表示装置１００は、図３（ａ），（ｂ）に示すようにガラス基板４と透明基板３０とを貼り合せる際に位置ズレが生じた場合、表示領域７に対して印刷領域１１が曲がって配置されるものの、表示領域７と印刷領域１１との間に設けられた見切り表示領域８により周辺見切り８ａが確実に形成されたものとなる。よって、表示領域７自体に曲がりの影響が及ぶことがなく、電気泳動表示装置１００のデザイン性及び見栄えが低下するといった不具合の発生を防止できる。
【００４１】
（第二実施形態）
次に、電気泳動表示装置の第ニ実施形態に係る構成について説明する。本実施形態と第一実施形態に係る構成との違いは、見切り表示領域について表示領域７と同一の画素構造を採用する点である。ここで、同一の画素構造とは、図４に示すように画素電極２５と略同じ大きさの複数の見切り表示用電極２６が見切り表示領域８にマトリクス状に配置され、各見切り表示用電極２６の形成領域が画素領域となっており、画素領域毎に種々の画像を表示可能な画素構造２６ａを有することを意味する。見切り表示用電極２６の各々には、スイッチング素子を含む駆動層（不図示）が設けられており、見切り表示用電極２６は画素電極２５と独立して駆動可能となっている。なお、それ以外の構成については同一である。そのため、同一構成及び同一の部材については第一実施形態と同じ符号を付し、その詳細な説明については省略若しくは簡略化する。
【００４２】
本実施形態に係る電気泳動表示装置２００の効果について図５を参照しつつ、説明する。以下の説明では、ガラス基板４と透明基板３０とを貼り合せる際に、電気泳動表示装置２００には、図５（ａ）に示すような基板貼り合せ時にズレが生じているものとする。なお、図５（ａ）において、Ｃ１は印刷領域１１により記載されるパネル部１００ａの中心位置を示し、Ｃ２は表示領域７における設計中心位置を示している。
【００４３】
ここで、図５（ａ），（ｂ）において、見切り表示領域８と印刷領域１１とにより設定される周辺見切り８ａのうち、右側の見切り幅をＸ１とし、左側の見切り幅をＸ２とし、上側の見切り幅をＸ３とし、下側の見切り幅をＸ４とする。図５（ａ）に示す状態においては、周辺見切り８ａの各幅は、Ｘ２＞Ｘ１、且つＸ３＞Ｘ４の関係となっている。このような位置ズレが生じた場合には、例えばＣＣＤカメラ等の撮像手段を用い、Ｃ１とＣ２との位置ズレ量を予め測定しておき、位置ズレ量を電気泳動表示装置２００内の駆動制御部（不図示）内のメモリに記憶しておく。
【００４４】
本実施形態に係る電気泳動表示装置２００は、上述の位置ズレ量に基づき、周辺見切り８ａの幅Ｘ１〜Ｘ４が左右上下においてそれぞれ等しくなるように調整を行うようになっている。具体的に、電気泳動表示装置２００は、表示領域７のうち、図５（ａ）に示される右側の外周端部を見切り表示領域８として機能させる。これにより、周辺見切り８ａの幅Ｘ１を拡げることができる。一方、見切り表示領域８のうち、表示領域７の左側外周端部に沿う部分を表示領域７として機能させる。これにより、周辺見切り８ａの幅Ｘ１を拡げることができる。
【００４５】
同様にして、見切り表示領域８のうち、表示領域７の上側外周端部に沿う部分を表示領域７として機能させる。これにより、周辺見切り８ａの幅Ｘ３を狭めることができる。一方、表示領域７のうち、下側の外周端部を見切り表示領域８として機能させる。これにより、周辺見切り８ａの幅Ｘ４を拡げることができる。
【００４６】
このように本実施形態に係る電気泳動表示装置２００によれば、ガラス基板４の貼り合せ位置がずれた場合でも、表示領域７をなす画素構造（画素電極２５）および見切り表示領域８をなす画素構造（見切り表示用電極２６）をそれぞれ駆動すること周辺見切り８ａの幅Ｘ１〜Ｘ４を等しくすることができる。よって、ガラス基板４の貼り合せ工程を高精度で行うための装置等が不要とすることができ、電気泳動表示装置２００の製造コストを抑えることができる。
【００４７】
また、見切り表示領域８ａが表示領域７と同じ画素構造を有するので、種々の表示を行うことができる。すなわち、見切り表示領域８は、様々な印刷を施した印刷領域１１と同様の表示を行うことができるので、周辺見切り８ａ（見切り表示領域８）及び外枠部１０（印刷領域１１）は、それぞれが一体となってパネル部２００ａにおける外周デザインとして種々のものを採用することができる。また、上記実施形態と同様、表示領域７と印刷領域１１との境界部分（段差部分）を目立たなくすることができる。さらに、印刷領域１１として採用可能なバリエーションが多岐にわたることで表示面（ガラス基板４の表面）のデザイン性に優れた表示装置を提供できる。
【００４８】
（電子機器）
次に、上記実施形態の電気泳動表示装置１００，２００を、電子機器に適用した場合について説明する。
図６は、腕時計１０００の正面図である。腕時計１０００は、時計ケース１００２と、時計ケース１００２に連結された一対のバンド１００３とを備えている。
時計ケース１００２の正面には、上記各実施形態の電気光学装置からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００４９】
図７は電子ペーパー１１００の構成を示す斜視図である。電子ペーパー１１００は、上記実施形態の電気光学装置を表示領域１１０１に備えている。電子ペーパー１１００は可撓性を有し、従来の紙と同様の質感及び柔軟性を有する書き換え可能なシートからなる本体１１０２を備えて構成されている。電子ペーパー１１００においては、電気泳動表示装置１００を構成する素子基板２についても可撓性を有する材料が用いられている。
【００５０】
図８は、電子ノート１２００の構成を示す斜視図である。電子ノート１２００は、上記の電子ペーパー１１００が複数枚束ねられ、カバー１２０１に挟まれているものである。
カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００５１】
以上の腕時計１０００、電子ペーパー１１００、及び電子ノート１２００によれば、本発明に係る電気泳動表示装置１００，２００を備えているので、表示面におけるデザイン性及び見栄えが優れた電子機器となる。
【００５２】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気光学装置は好適に用いることができる。
【００５３】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【符号の説明】
【００５４】
２…素子基板（第１基板）、４…ガラス基板（第２基板）、４ａ…内面、７…表示領域、８…見切り表示領域、１１…印刷領域、２５…画素電極（電極）、２５ａ…画素構造、２６…見切り表示用電極（電極）、２６ａ…画素構造、３１…電気泳動層、１００，２００…電気泳動表示装置、１１００…電子ペーパー（電子機器）、１２００…電子ノート（電子機器）
【図１】
0005565068.tif 000002
【図２】
0005565068.tif 000003
【図３】
0005565068.tif 000004
【図４】
0005565068.tif 000005
【図５】
0005565068.tif 000006
【図６】
0005565068.tif 000007
【図７】
0005565068.tif 000008
【図８】
0005565068.tif 000009